(57)【要約】      （修正有）【課題】商品を収納した液体用紙容器の外面を利用して、広告宣伝したい商品等について、実際に消費者が購入して使用する時に、目に入る確率の高い液体用紙容器の外面の部位に形成した印刷画像表示媒体を通して、必然的に、確実に見せることできる広告宣伝媒体を提供する。【解決手段】４枚の側面からなる胴部Ｄと、四角形の底部Ｂと、切妻形屋根状の頭部Ｔとからなり、該頭部の上部にトップリブが合掌シールされてトップシール部ＴＳが形成されたゲーブルトップ型の液体用紙容器１の外面に、商品内容を表示する文字、地紋、図形、記号、絵柄等からなる商品表示部２を形成すると共に、液体用紙容器の胴部の開封口を形成する側の側面の少なくとも一部に、前記商品表示部の記載内容と関係のない他の商品や案内を広告宣伝する文字、図形、記号、絵柄等からなる広告表示部３を形成したことを特徴とする広告宣伝媒体である。【選択図】図１
2005181573.tif 000002
【特許請求の範囲】
【請求項１】
４枚の側面からなる胴部と、四角形の底部と、切妻形屋根状の頭部とからなり、該頭部の上部にトップリブが合掌シールされてトップシール部が形成されたゲーブルトップ型の液体用紙容器の外面に、商品内容を表示する文字、地紋、図形、記号、絵柄等からなる商品表示部を形成すると共に、前記液体用紙容器の前記胴部の開封口を形成する側の前記側面の少なくとも一部に、前記商品表示部の記載内容と関係のない他の商品や案内を広告宣伝する文字、図形、記号、絵柄等からなる広告表示部を形成したことを特徴とする広告宣伝媒体。
【発明の詳細な説明】
【技術分野】
【０００１】
本発明は、広告宣伝媒体に関し、さらに詳しくは、液体用紙容器の外面を利用して、商品を購入した人に、広告宣伝したい商品を確実に知らせ、その関心を引き付けることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等、商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。さらに、例えば、街頭のネオンサイン等を利用し、主に、視覚を通して商品を広告宣伝する場合、さらには、ラジオ、街頭放送等を利用し、主に、音声を通して商品を広告宣伝する場合、あるいは、テレビ等を利用し、主に、音声と映像等を通して商品を広告宣伝する場合等もある。
【０００３】
しかし、上記のような従来の広告宣伝媒体による広告宣伝は、不特定多数の人に向かって商品を広告宣伝するものであり、通常、一人一人が、それを視覚を通して見たり、また、聴覚をとおして聴いたりしても、広告宣伝する商品について、それ程関心を引くものとなっていない。ましてや、人々は、近年、広告宣伝の氾濫による喧騒等に嫌悪感を持つようになっており、それほどに関心のない商品の宣伝広告は、見たり、聴いたりすることを避け、チラシ、カタログ等に至っては、見ないで、そのまま捨ててしまい、その商品の広告宣伝に振り向かないのが実状である。
【０００４】
そこで、商品を充填包装した包装容器の外面を利用して、広告宣伝したい商品等について、一人一人が手に持って、包装容器の外面に形成した印刷画像表示媒体を通して、必然的に、確実に見せることできる広告宣伝媒体が提案されている（例えば、特許文献１参照。）。
【特許文献１】特開平１０−２６８８１７号公報
【発明の開示】
【発明が解決しようとする課題】
【０００５】
しかしながら、上記の特開平１０−２６８８１８号公報「広告宣伝媒体」は、包装容器の外面に広告宣伝したい商品等の印刷画像表示部を形成したことを特徴とする広告宣伝媒体であり、液体用紙容器を利用して広告宣伝したい商品等の印刷画像表示部を形成した広告宣伝媒体の例をあげているものの、液体用紙容器のより効果的な部位にその印刷画像表示部を形成することについては言及していない。
【０００６】
そこで本発明は、商品を収納した液体用紙容器の外面を利用して、広告宣伝したい商品等について、実際に消費者が購入して使用する時に、目に入る確率の高い液体用紙容器の外面の部位に形成した印刷画像表示媒体を通して、必然的に、確実に見せることできる広告宣伝媒体を提供することである。
【課題を解決するための手段】
【０００７】
上記のような課題を解決すべく本発明は、４枚の側面からなる胴部と、四角形の底部と、切妻形屋根状の頭部とからなり、該頭部の上部にトップリブが合掌シールされてトップシール部が形成されたゲーブルトップ型の液体用紙容器の外面に、商品内容を表示する文字、地紋、図形、記号、絵柄等からなる商品表示部を形成すると共に、前記液体用紙容器の前記胴部の開封口を形成する側の前記側面の少なくとも一部に、前記商品表示部の記載内容と関係のない他の商品や案内を広告宣伝する文字、図形、記号、絵柄等からなる広告表示部を形成したことを特徴とする広告宣伝媒体である。
【発明の効果】
【０００８】
以上の説明で明らかなように、本発明は、商品を収納した液体用紙容器の外面、特に、開封口と同側の側面が消費者の目が注がれる確率が高いことに着目し、その液体用紙容器の外面の開封口を設けた側の側面に、液体用紙容器内に収納された商品と全く無関係な他の商品を広告宣伝する文字、図形、記号、絵柄等からなる印刷画像表示部を形成することにより、液体用紙容器に収納されている商品を購入しようとする、特に、購入してその液体用紙容器を手に持って開封して使用する時に、必然的に、確実に、その液体用紙容器の側面に施されている他の商品に関する印刷画像表示部を見ることになり、これによって、この商品を宣伝広告することになり、極めて広告宣伝機能の高い広告宣伝媒体とすることができるものである。
【発明を実施するための最良の形態】
【０００９】
以下に、図面を参照にしながら、本発明の広告宣伝媒体の実施の形態について例をあげて説明する。なお、説明を簡単にするために、各図において対応する部位には、同じ符号を付している。
【００１０】
まず、本発明の広告宣伝媒体の実施の形態について実施例をあげて説明する。図１は、本発明にかかる広告宣伝媒体の実施の形態の一実施例を示す斜視図である。本発明の広告宣伝媒体Ａは、図１−ａに示すように、液体用紙容器１を基材としている。この液体用紙容器１は、４枚の側面１１（図示せず）、１２、１３、１４（図示せず）からなる胴部Ｄと、四角形の底部Ｂと、切妻形屋根状の頭部Ｔとからなり、該頭部Ｔの上部にトップリブが合掌シールされてトップシール部ＴＳが形成されたゲーブルトップ型の液体用紙容器である。このゲーブルトップ型の液体用紙容器では、図１−ｂに示すように、切妻形屋根状の頭部Ｔの両切妻の一方をあけ口としてトップシール部ＴＳを剥がして開封口Ｐを形成する。本発明の広告宣伝媒体Ａでは、液体用紙容器１の開封口Ｐを形成する側の胴部Ｄの側面１２の少なくとも一部に液体用紙容器１の内容物と無関係な他の商品や案内を広告宣伝する文字、図形、記号、絵柄等からなる広告表示部３を形成し、側面１２の広告表示部３以外の領域および他の面には従来のように内容物の商品内容を表示する文字、地紋、図形、記号、絵柄等からなる商品表示部２を形成している。
【００１１】
すなわち、本実施例では、液体用紙容器１の外面に記載内容を表示する文字、地紋、図形、記号、絵柄等からなる商品表示部２と、その記載内容と無関係な他の商品や案内を広告宣伝する文字、図形、記号、絵柄等からなる広告表示部３との両表示部を形成している。
【００１２】
また、液体用紙容器１の記載内容を表示する商品表示部２と無関係な他の商品や案内を広告宣伝する広告表示部３の内容のデータを予めアンケート調査等にて調査したデータベースから引き出して選択して印刷する。このように広告宣伝内容をデータベース管理することで、特定の個人、地域、期間に効率よく配信することができることになる。
【００１３】
つぎに、本発明にかかる広告宣伝媒体について、それを構成する材料、製造法等を説明する。
【００１４】
まず、本発明の広告宣伝媒体Ａである液体用紙容器１を構成する材料は、紙を主体とする積層体からなり、その紙の一方の面に最内層が熱接着性樹脂層である内層を、他方の面に最外層が熱接着性樹脂層である外層を備えていることを基本としている。そして、紙と熱接着樹脂層との間にバリアー層を積層することもできる。
【００１５】
積層体の最内層および最外層に使用する熱可塑性樹脂は、内容物の保護、特に液状の物質を入れても洩れない機能、また、熱シールにより貼り合わせて液体用紙容器の組み立てを可能にする機能を持っている必要がある。具体的には、例えば、低密度ポリエチレン、中密度ポリエチレン、高密度ポリエチレン、直鎖状（線状）低密度ポリエチレン、メタロセン触媒を使用して重合したエチレン−α・オレフィン共重合体、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレンなどのポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、ポリエステル樹脂、ナイロン樹脂などの樹脂を使用することができる。なかでも、メタロセン触媒を使用して重合したエチレン−α・オレフィン共重合体は、伸縮性があり、ひび割れ、ピンホールが発生しにくく、好適に使用することができる。
【００１６】
上記の熱接着性樹脂を用いて、例えば、押し出し機を使用し、紙とバリアー層との層間に、上記のような樹脂の１種ないし２種以上を単層ないし多層に押し出して溶融押し出し樹脂層を形成し、その溶融押し出し樹脂層を介して、上記の紙とバリアー層とを積層することができるものである。
【００１７】
本発明の変形液体用紙容器１において、熱接着性樹脂層の膜厚としては、２０〜２００μｍの範囲、好ましくは、２５〜１００μｍの範囲がより好ましいものである。膜厚が、２５μｍ未満であると、炙りピンホールが発生し易い傾向にあることから好ましくなく、２００μｍを越えると、底面４および頭部２の成形性が非常に悪くなることから好ましくないものである。
【００１８】
また、本発明の変形液体用紙容器１を構成するバリアー層として、機械的、物理的、化学的、その他において優れた性質を有し、特に、強度を有して強靱であり、かつ、耐熱性を有する樹脂のフィルムないしシートを使用することができる。具体的には、例えば、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリルル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂、その他等の各種の樹脂のフィルムないしシートを使用することができる。さらに、これらのフィルムに金属蒸着膜あるいは無機酸化膜を設けたフィルム、金属箔などを使用することもできる。
【００１９】
具体的な材料の構成としては、表面側からポリエチレン樹脂層／紙層／ポリエチレン樹脂層、発泡ポリエチレン樹脂層／紙層／ポリエチレン樹脂層、ポリプロピレン樹脂層／紙層／ポリプロピレン樹脂層、ポリエチレン樹脂層／紙層／ポリエステル樹脂層、ポリエステル樹脂層／紙層／ポリエステル樹脂層、ポリエチレン樹脂層／紙層／エチレン−アクリル酸共重合体層／アルミニウム箔／ポリエチレン樹脂層、ポリエチレン樹脂層／紙層／ポリエチレン層／ポリエステル層／ポリエチレン樹脂層、ポリエチレン樹脂層／紙層／ポリエチレン層／ポリエステル層／ポリエチレン樹脂層（フィルム）、ポリエチレン樹脂層／紙層／ポリエチレン層／アルミニウム箔／二軸延伸ポリエステル層／ポリエチレン樹脂層、ポリエチレン樹脂層／紙層／ポリエチレン層／蒸着アルミ層／ポリエステル層／ポリエチレン樹脂層、ポリエチレン樹脂層／紙層／ポリエチレン樹脂層／シリカ蒸着層／ポリエステル層／ポリエチレン樹脂層（フィルム）などがあげられる。
【００２０】
上記のような材料の表面に、原反の状態において、予め、例えば、文字、図形、記号、絵柄、模様等の所望の印刷絵柄を通常の印刷法、例えば、オフセット印刷、グラビア印刷、凸版印刷、シルクスクリーン印刷、転写印刷等によって表刷り印刷、あるいは裏刷り印刷等を行うことにより、液体用紙容器１に表示する文字、地紋、図形、記号、絵柄等からなる商品表示部２を形成すると共に、の開封口Ｐを形成する側の胴部Ｄの側面１２に、内容物の商品内容の記載内容と全く無関係な他の商品を広告宣伝する文字、図形、記号、絵柄等からなる広告表示部３を形成するものである。
【００２１】
なお、本発明においては、上記のような広告表示部３を形成するに際しては、広告表示部３を構成する文字、図形、記号、絵柄等を、通常の印刷インキを使用して形成する代わりに、例えば、蛍光性インキ、示温性インキ等を使用して広告表示部３を形成することもでき、さらには、その広告表示部３の構造を凹凸画像等にすることもでき、さらにまた、ホログラフィー等を使用して広告表示部３を形成してもよく、また、印刷インキの色数を増やして広告表示部３を形成することもできる。そして、上記のような広告表示部３を形成することにより、その機能性、広告宣伝効果等をさらに高めることが可能となるものである。
【００２２】
また、別途内容物の商品内容の記載内容と全く無関係な他の商品を広告宣伝する文字、図形、記号、絵柄等を印刷したシールを作製し、そのシールを開封口Ｐを形成する側の胴部Ｄの側面１２に貼付することにより広告表示部３を形成することもできる。
【００２３】
つぎに、上記の材料を使用し、表面にオフセット印刷で内容物の商品を表示する文字、図形、記号、絵柄等からなる商品表示部２を印刷すると共に、組み立てた状態で開封口を設ける側の側面となる位置に、内容物の商品と全く無関係な他の商品を広告宣伝する文字、図形、記号、絵柄等からなる広告表示部３を印刷する。つぎに、打ち抜き加工によって、図２に示すような液体用紙容器１のブランク１０を製造する。そして、このブランク１０を製函工程で製函して、折り畳まれた状態の液体用紙容器１とする。さらに、内容物の充填工程で、製函した折り畳まれた状態の液体用紙容器１を起こして組み立て、内容物を充填する。このようにして図１に示すように、開封口Ｐを設けた側の側面１２に広告表示部３が印刷されている切妻形屋根状の頭部Ｔをしたゲーブルトップ型の内容物が充填された液体用紙容器１を作製することができる。すなわち、外面に内容物の商品内容等が表示されていると共に、内容物の商品と全く無関係な他の商品が広告宣伝されている広告宣伝媒体Ａとすることができるものである。
【００２４】
なお、本発明において、広告宣伝を行なう他の商品としては、例えば、食品、菓子、果汁・酒・油・調味料等の飲料、洗剤・歯磨き粉等の日用品、雑貨品、医薬品、文房具、テレビ・冷蔵庫・洗濯機・掃除機等の電気製品、パソコン、ゲーム機、オーディオ製品、自動車、ゴルフ道具・サーカー道具・野球道具等の運動用具等の種々の商品を対象とすることができる。また、効果的な宣伝内容としては、旅行案内、学校案内、寺社案内、企業案内をはじめ、企業あるいは公共団体が行なうキャンペーンや行事の案内、尋ね人等があげられる。
【実施例】
【００２５】
つぎに、本発明の広告宣伝媒体について以下に具体例を挙げてさらに詳しく説明する。
【００２６】
内容物としてミルクが充填され、外面にはミルクという商品名、絵柄、原材料名、内容量、賞味期限、製造者、あるいは販売者等のを表示する商品表示部が印刷されている液体用紙容器を作製した。
【００２７】
まず、ミルクを充填する液体用紙容器として、表面からポリエチレン樹脂２０μｍ／ミルク用原紙（ウェアーハウザー社製））２７５ｇ／ｍ2／ポリエチレン樹脂３０μｍの構成の材料を使用し、表面にオフセット印刷で充填する商品であるミルクを表示する文字、図形、記号、絵柄等からなる商品表示部を印刷すると共に、組み立てた状態で開封口を設ける側の側面となる位置に、ミルクと全く無関係な携帯電話を広告宣伝する文字、図形、記号、絵柄等からなる広告表示部を印刷した。つぎに、打ち抜き加工によって、液体用紙容器のブランクを製造し、このブランクを使用して、製函した。さらに、内容物の充填工程で、製函した液体用紙容器を起こして組み立て、内容物のミルクを充填した。このようにして図１に示すように、切妻形屋根状の頭部をした、容器本体（底面が７０×７０ｍｍ、高さが１９０ｍｍ）で、内容量が１０００ｍｌのミルクが充填された液体用紙容器を作製した。この液体用紙容器は、外面にミルクの表示と共に携帯電話が広告宣伝されている広告宣伝媒体となった。特に、開封口を設けた側の側面に広告表示部が印刷されているため、消費者が手に持って開封して使用する時に、必然的に、確実に、その液体用紙容器の開封口を設けた側の側面に施されている携帯電話の広告表示部を見ることになり、これによって、極めて広告宣伝機能の高い広告宣伝媒体とすることができた。
【産業上の利用可能性】
【００２８】
上記の例示は、本発明の広告宣伝媒体について、その一例を示したものであり、内容物が液体に限られることなく広くゲーブルトップ型の紙容器に適用されるものである。
【図面の簡単な説明】
【００２９】
【図１】本発明にかかる広告宣伝媒体の実施の形態の一例を示す斜視図である。
【図２】本発明にかかる広告宣伝媒体の実施の形態の一例のブランクを示す展開図である。
【図３】本発明にかかる広告宣伝媒体の実施例を示す斜視図である。
【符号の説明】
【００３０】
Ａ    広告宣伝媒体
１    液体用紙容器
２    商品表示部
３    広告表示部
１０    ブランク
Ｂ    底部
Ｄ    胴部
１１    側面
１２    側面
１３    側面
１４    側面
Ｐ    開封口
Ｔ    頭部
ＴＳ    トップシール部
【図１】
2005181573.tif 000003
【図２】
2005181573.tif 000004
【図３】
2005181573.tif 000005